(57)【要約】  本発明に係る画像処理装置は、カテーテルが挿入され、カテーテルの先端部が心壁に接触した心臓の房室を所定の方向から撮像したＸ線透視画像におけるカテーテルの先端部の位置を示す先端位置情報を取得する先端位置情報取得部と、先端位置情報取得部により取得された先端位置情報に示されるカテーテルの先端部の、心臓の長軸方向の動きに基づき、カテーテルの先端部が接触する心壁の壁運動を計算する壁運動計算部と、を備える。
2019176532.tif 000002
【特許請求の範囲】
【請求項１】
カテーテルが挿入され、該カテーテルの先端部が心壁に接触した心臓の房室を所定の方向から撮像したＸ線透視画像における前記カテーテルの先端部の位置を示す先端位置情報を取得する先端位置情報取得部と、
前記先端位置情報取得部により取得された先端位置情報に示される前記カテーテルの先端部の、前記心臓の長軸方向の動きに基づき、前記カテーテルの先端部が接触する心壁の壁運動を計算する壁運動計算部と、を備える画像処理装置。
【請求項２】
請求項１に記載の画像処理装置において、
前記カテーテルの先端部には造影マーカが設けられ、
前記先端位置情報取得部は、前記Ｘ線透視画像における前記造影マーカの位置に基づき、前記先端位置情報を取得する、画像処理装置。
【請求項３】
請求項１または２に記載の画像処理装置において、
前記壁運動計算部により計算された前記心壁の壁運動を前記Ｘ線透視画像に重畳して表示装置に表示する画像処理部をさらに備える、画像処理装置。
【請求項４】
請求項３に記載の画像処理装置において、
前記画像処理部は、前記壁運動計算部により計算された前記心壁の壁運動を、前記心臓の三次元構造データから得られた前記房室の二次元画像であるフォーマット図にマッピングして記録する、画像処理装置。
【請求項５】
請求項４に記載の画像処理装置において、
前記画像処理部は、前記カテーテルを介して注入材を注入した部位、前記注入材の注入に適した部位、および、前記注入材の注入に適さない部位の少なくともいずれかを、前記フォーマット図にマッピングして記録する、画像処理装置。
【請求項６】
請求項４または５に記載の画像処理装置において、
前記画像処理部は、前記記録したフォーマット図を用いて、前記心臓の房室を三次元表示した三次元画像およびブルズアイ画像の少なくとも一方を生成する、画像処理装置。
【請求項７】
請求項１に記載の画像処理装置において、
前記心臓の心壁における梗塞部位を同定する梗塞部位同定部と、
前記壁運動計算部により計算された心壁の壁運動と、前記梗塞部位同定部により同定された梗塞部位の位置とに基づき、冬眠心筋を同定する冬眠心筋同定部と、をさらに備える、画像処理装置。
【請求項８】
請求項７に記載の画像処理装置において、
前記カテーテルの先端部には造影マーカが設けられ、
前記先端位置情報取得部は、前記Ｘ線透視画像における前記造影マーカの位置に基づき、前記先端位置情報を取得する、画像処理装置。
【請求項９】
請求項７または８に記載の画像処理装置において、
前記カテーテルの先端部には電極が設けられ、
前記梗塞部位同定部は、前記電極を介して、前記カテーテルの先端部が当接する心壁の心電位を示す心電位情報を取得し、該取得した心電位情報に基づき、梗塞部位を同定する、画像処理装置。
【請求項１０】
請求項７または８に記載の画像処理装置において、
前記梗塞部位同定部は、所定の撮像装置により前記心臓を撮像した撮像画像に基づき、前記心壁の心電位を示す心電位情報を取得し、該取得した心電位情報に基づき、梗塞部位を同定する、画像処理装置。
【請求項１１】
請求項７または８に記載の画像処理装置において、
前記梗塞部位同定部は、前記心臓に造影剤を投与した後に所定の撮像装置による撮像により得られた遅延造影相に基づき、梗塞部位を同定する、画像処理装置。
【請求項１２】
請求項７から１１のいずれか一項に記載の画像処理装置において、
前記冬眠心筋同定部により同定された冬眠心筋を前記Ｘ線透視画像に重畳して表示装置に表示する画像処理部をさらに備える、画像処理装置。
【請求項１３】
請求項１２に記載の画像処理装置において、
前記画像処理部は、前記冬眠心筋同定部により同定された冬眠心筋を、前記心臓の三次元構造データから得られた前記房室の二次元画像であるフォーマット図にマッピングして記録する、画像処理装置。
【請求項１４】
請求項１３に記載の画像処理装置において、
前記画像処理部は、前記カテーテルを介して注入材を注入した部位、前記注入材の注入に適した部位、および、前記注入材の注入に適さない部位の少なくともいずれかを、前記フォーマット図にマッピングして記録する、画像処理装置。
【請求項１５】
請求項１３または１４に記載の画像処理装置において、
前記画像処理部は、前記記録したフォーマット図を用いて、前記心臓の房室を三次元表示した三次元画像およびブルズアイ画像の少なくとも一方を生成する、画像処理装置。
【請求項１６】
画像処理装置が実行する画像処理方法であって、
カテーテルが挿入され、該カテーテルの先端部が心壁に接触した心臓の房室を所定の方向から撮像したＸ線透視画像における前記カテーテルの先端部の位置を示す先端位置情報を取得する工程と、
前記取得された先端位置情報に示される前記カテーテルの先端部の、前記心臓の長軸方向の動きに基づき、前記カテーテルの先端部が接触する心壁の壁運動を計算する工程と、を含む画像処理方法。
【請求項１７】
請求項１６に記載の画像処理方法において、
前記心臓の心壁における梗塞部位を同定する工程と、
前記計算された心壁の壁運動と、前記同定された梗塞部位の位置とに基づき、冬眠心筋を同定する工程と、をさらに含む画像処理方法。
【請求項１８】
心壁の壁運動の計算方法であって、
カテーテルが挿入され、該カテーテルの先端部が心壁に接触した心臓の房室を所定の方向から撮像したＸ線透視画像における前記カテーテルの先端部の位置を示す先端位置情報を取得し、
前記取得された先端位置情報に示される前記カテーテルの先端部の、前記心臓の長軸方向の動きに基づき、前記カテーテルの先端部が接触する心壁の壁運動を計算する、計算方法。
【請求項１９】
コンピュータを請求項１から１５のいずれか一項に記載の画像処理装置として機能させるプログラム。
【発明の詳細な説明】
【技術分野】
【０００１】
本発明は、画像処理装置、画像処理方法、計算方法およびプログラムに関する。
【背景技術】
【０００２】
心不全などの治療において、細胞などの生体物質またはバイオマテリアルなどの注入材を、大腿動脈などを介して心臓の房室内に挿入したカテーテルなどの器具を用いて、房室の周囲の組織（例えば、左心室の周囲の心筋）に注入し、血管新生、細胞分化などの治療効果を期待する治療が検討されている。【０００３】
上述したようなカテーテルを用いて注入材を注入する治療にあたっては、注入材を注入する注入部位は、梗塞部位よりも、梗塞部位と正常部位との境界領域の心筋（以下、冬眠心筋と称する）の方が効果的であることが知られている。そのため、上述した治療においては、冬眠心筋の同定が重要となる。冬眠心筋の特徴の１つとして、正常心筋と比べて壁運動が低下するという特徴がある。特許文献１には、超音波画像などから心臓の壁運動の低下部位を検出する技術が開示されている。
【先行技術文献】
【特許文献】
【０００４】
【特許文献１】特開２００９−１０６５３０号公報
【発明の概要】
【発明が解決しようとする課題】
【０００５】
上述したようなカテーテルを用いて注入材を注入する手技中は、術者は、心臓を所定の方向からＸ線透視したＸ線透視画像を見ながら手技を行うのが一般的である。Ｘ線透視画像では、房室（例えば、左心室）の造影により、左心室全体の運動を評価することができる。しかしながら、局所的な心壁の壁運動を評価することができず、冬眠心筋の同定に必要な情報を得ることができない。そのため、十分な治療効果が得られないおそれがある。【０００６】
特許文献１に開示されているように、超音波診断装置、Ｘ線ＣＴ（Computed Tomography）装置、ＭＲＩ（Magnetic Resonance Imaging）装置、ＳＰＥＣＴ（Single Photon Emission Computed Tomography）装置、ＰＥＴ（Positron Emission computed Tomography）装置などの撮像装置により心臓を撮像して得られる心臓の三次元データに基づき、壁運動を評価することも考えられる。しかしながら、術中に用いるＸ線透視装置とは別に、壁運動を検出するために、上述したような撮像装置を用いることは、設備の大型化、治療の煩雑化といったコストの増加を招いてしまう。そのため、より簡易に心壁の壁運動を検出する手法が求められている。【０００７】
上記のような問題点に鑑みてなされた本発明の目的は、より簡易に心壁の壁運動を検出することができる画像処理装置、画像処理方法、計算方法およびプログラムを提供することにある。
【課題を解決するための手段】
【０００８】
本発明の第１の態様としての画像処理装置は、カテーテルが挿入され、該カテーテルの先端部が心壁に接触した心臓の房室を所定の方向から撮像したＸ線透視画像における前記カテーテルの先端部の位置を示す先端位置情報を取得する先端位置情報取得部と、
前記先端位置情報取得部により取得された先端位置情報に示される前記カテーテルの先端部の、前記心臓の長軸方向の動きに基づき、前記カテーテルの先端部が接触する心壁の壁運動を計算する壁運動計算部と、を備える。【０００９】
本発明の１つの実施形態として、前記カテーテルの先端部には造影マーカが設けられ、前記先端位置情報取得部は、前記Ｘ線透視画像における前記造影マーカの位置に基づき、前記先端位置情報を取得する。【００１０】
本発明の１つの実施形態として、前記画像処理装置は、前記壁運動計算部により計算された前記心壁の壁運動を前記Ｘ線透視画像に重畳して表示装置に表示する画像処理部をさらに備える。【００１１】
本発明の１つの実施形態として、前記画像処理部は、前記壁運動計算部により計算された前記心壁の壁運動を、前記心臓の三次元構造データから得られた前記房室の二次元画像であるフォーマット図にマッピングして記録する。【００１２】
本発明の１つの実施形態として、前記画像処理部は、前記カテーテルを介して注入材を注入した部位、前記注入材の注入に適した部位、および、前記注入材の注入に適さない部位の少なくともいずれかを、前記フォーマット図にマッピングして記録する。【００１３】
本発明の１つの実施形態として、前記画像処理部は、前記記録したフォーマット図を用いて、前記心臓の房室を三次元表示した三次元画像およびブルズアイ画像の少なくとも一方を生成する。【００１４】
本発明の１つの実施形態として、前記画像処理装置は、前記心臓の心壁における梗塞部位を同定する梗塞部位同定部と、前記壁運動計算部により計算された心壁の壁運動と、前記梗塞部位同定部により同定された梗塞部位の位置とに基づき、冬眠心筋を同定する冬眠心筋同定部と、をさらに備える。【００１５】
本発明の１つの実施形態として、前記カテーテルの先端部には造影マーカが設けられ、前記先端位置情報取得部は、前記Ｘ線透視画像における前記造影マーカの位置に基づき、前記先端位置情報を取得する。【００１６】
本発明の１つの実施形態として、前記カテーテルの先端部には電極が設けられ、前記梗塞部位同定部は、前記電極を介して、前記カテーテルの先端部が当接する心壁の心電位を示す心電位情報を取得し、該取得した心電位情報に基づき、梗塞部位を同定する。【００１７】
本発明の１つの実施形態として、前記梗塞部位同定部は、所定の撮像装置により前記心臓を撮像した撮像画像に基づき、前記心壁の心電位を示す心電位情報を取得し、該取得した心電位情報に基づき、梗塞部位を同定する。【００１８】
本発明の１つの実施形態として、前記梗塞部位同定部は、前記心臓に造影剤を投与した後に所定の撮像装置による撮像により得られた遅延造影相に基づき、梗塞部位を同定する。【００１９】
本発明の１つの実施形態として、前記画像処理装置は、前記冬眠心筋同定部により同定された冬眠心筋を前記Ｘ線透視画像に重畳して表示装置に表示する画像処理部をさらに備える。【００２０】
本発明の１つの実施形態として、前記画像処理部は、前記冬眠心筋同定部により同定された冬眠心筋を、前記心臓の三次元構造データから得られた前記房室の二次元画像であるフォーマット図にマッピングして記録する。【００２１】
本発明の１つの実施形態として、前記画像処理部は、前記カテーテルを介して注入材を注入した部位、前記注入材の注入に適した部位、および、前記注入材の注入に適さない部位の少なくともいずれかを、前記フォーマット図にマッピングして記録する。【００２２】
本発明の１つの実施形態として、前記画像処理部は、前記記録したフォーマット図を用いて、前記心臓の房室を三次元表示した三次元画像およびブルズアイ画像の少なくとも一方を生成する。【００２３】
本発明の第２の態様としての画像処理方法は、画像処理装置が実行する画像処理方法であって、カテーテルが挿入され、該カテーテルの先端部が心壁に接触した心臓の房室を所定の方向から撮像したＸ線透視画像における前記カテーテルの先端部の位置を示す先端位置情報を取得する工程と、前記取得された先端位置情報に示される前記カテーテルの先端部の、前記心臓の長軸方向の動きに基づき、前記カテーテルの先端部が接触する心壁の壁運動を計算する工程と、を含む。【００２４】
本発明の１つの実施形態として、前記画像処理方法は、前記心臓の心壁における梗塞部位を同定する工程と、前記計算された心壁の壁運動と、前記同定された梗塞部位の位置とに基づき、冬眠心筋を同定する工程と、をさらに含む。【００２５】
本発明の第３の態様としての計算方法は、心壁の壁運動の計算方法であって、カテーテルが挿入され、該カテーテルの先端部が心壁に接触した心臓の房室を所定の方向から撮像したＸ線透視画像における前記カテーテルの先端部の位置を示す先端位置情報を取得し、前記取得された先端位置情報に示される前記カテーテルの先端部の、前記心臓の長軸方向の動きに基づき、前記カテーテルの先端部が接触する心壁の壁運動を計算する。【００２６】
本発明の第４の態様としてのプログラムは、コンピュータを上記の画像処理装置として機能させる。
【発明の効果】
【００２７】
本発明に係る画像処理装置、画像処理方法、計算方法およびプログラムによれば、より簡易に心壁の壁運動を検出することができる。
【図面の簡単な説明】
【００２８】
【図１】本発明の一実施形態に係る画像処理装置の構成例を示す図である。
【図２】カテーテルが挿入された心臓の房室のＸ線透視画像の一例を示す図である。
【図３】図１に示す壁運動計算部による心壁の壁運動の計算について説明するための図である。
【図４Ａ】図１に示す画像処理部による表示装置への表示の一例を示す図である。
【図４Ｂ】図１に示す画像処理部による表示装置への表示の他の一例を示す図である。
【図５】図１に示す画像処理部による、心壁の心電位および壁運動に応じた表示装置への表示の一例を示す図である。
【図６】図１に示す画像処理部による、冬眠心筋、注入部位および注入材の注入に適さない部位のフォーマット図へのマッピングの一例を示す図である。
【図７】図１に示す画像処理装置の動作の一例を示すフローチャートである。
【図８】カテーテルの先端部近傍を示す図である。
【図９Ａ】図８に示す白抜き矢印Ｐ１の方向に向かってカテーテルの先端部を見た場合についての造影マーカの見え方について説明するための図である。
【図９Ｂ】図８に示す白抜き矢印Ｐ１の方向に向かってカテーテルの先端部を見た場合についての造影マーカの見え方について説明するための図である。
【図９Ｃ】図８に示す白抜き矢印Ｐ１の方向に向かってカテーテルの先端部を見た場合についての造影マーカの見え方について説明するための図である。
【図９Ｄ】図８に示す白抜き矢印Ｐ１の方向に向かってカテーテルの先端部を見た場合についての造影マーカの見え方について説明するための図である。
【図９Ｅ】図８に示す白抜き矢印Ｐ１の方向に向かってカテーテルの先端部を見た場合についての造影マーカの見え方について説明するための図である。
【図９Ｆ】図８に示す白抜き矢印Ｐ１の方向に向かってカテーテルの先端部を見た場合についての造影マーカの見え方について説明するための図である。
【発明を実施するための形態】
【００２９】
以下、本発明を実施するための形態について、図面を参照しながら説明する。各図中、同一符号は、同一または同等の構成要素を示している。
【００３０】
図１は、本発明の一実施形態に係る画像処理装置１０の構成例を示す図である。本実施形態に係る画像処理装置１０は、カテーテルを心臓の房室に挿入して、心臓の房室に注入材を注入する手技において、房室の心壁の壁運動を検出し、冬眠心筋を同定するものである。
【００３１】
図１に示す画像処理装置１０は、先端位置情報取得部１１と、壁運動計算部１２と、梗塞部位同定部１３と、冬眠心筋同定部１４と、画像処理部１５とを備える。
【００３２】
先端位置情報取得部１１は、カテーテルを被検者の心臓の房室に挿入して注入材を注入する手技中の、カテーテルの先端部の位置を示す先端位置情報を取得する。より具体的には、先端位置情報取得部１１は、カテーテルが挿入され、カテーテルの先端部が心壁に接触した心臓の房室を所定の方向から撮像したＸ線透視画像におけるカテーテルの先端部の位置を示す先端位置情報を取得する。本実施形態では、先端位置情報として、カテーテルの先端部のうち先端の位置を示す情報を取得する。
【００３３】
先端位置情報取得部１１は、例えば、カテーテルを心臓に挿入する術者により判断された、カテーテルの先端部が接触する心壁の位置に関する入力を、先端位置情報として取得する。また、上述したように、カテーテルを用いて心臓の房室に注入材を注入する手技中は、心臓を所定の方向から撮像したＸ線透視画像が、術者などが視認可能なようにして表示装置２０に表示される。先端位置情報取得部１１は、そのＸ線透視画像を取得し、取得したＸ線透視画像の画像解析によりカテーテルの先端部の位置を特定し、先端位置情報を取得してもよい。
【００３４】
図２は、カテーテルを用いて心臓の左心室に注入材を注入する手技中の左心室の拡張期および収縮期のＸ線透視画像の一例である。
【００３５】
図２に示すように、カテーテルの先端部に造影マーカを設けることで、先端位置情報取得部１１は、Ｘ線透視画像における造影マーカの位置に基づき、カテーテルの先端部の位置を特定し、先端位置情報を取得することができる。本実施形態では、カテーテルの先端を含む位置に造影マーカが設けられている。そのため、先端位置情報として、カテーテルの先端部のうち先端の位置を示す情報を取得することができる。カテーテルの先端部であることを特定するためには、例えは、カテーテルの先端部に、カテーテルの他の部分よりも大きい造影マーカ、カテーテルの他の部分よりもＸ線透視画像において濃く造影される造影マーカ、特殊な形状の造影マーカなどを設けることが考えられる。なお、Ｘ線透視画像からでは、カテーテルの先端部が、Ｘ線透視画像の撮像方向から見て、手前側の心壁に接触しているのか、奥側の心壁に接触しているのかを判別することができない場合がある。しかしながら、カテーテルに特定の形状の造影マーカを設けることで、Ｘ線透視画像から、カテーテルの先端部が、手前側の心壁に接触しているのか、奥側の心壁に接触しているのかを判別することができる。このような造影マーカの形状の詳細については後述する。
【００３６】
図１を再び参照すると、先端位置情報取得部１１は、取得した先端位置情報を壁運動計算部１２に出力する。
【００３７】
壁運動計算部１２は、先端位置情報取得部１１から出力された先端位置情報に基づき、先端位置情報に示されるカテーテルの先端部が接触する心壁の壁運動を計算する。より具体的には、壁運動計算部１２は、先端位置情報に示されるカテーテルの先端部の、心臓の長軸方向の動きに基づき、カテーテルが接触する心壁の壁運動を計算（検出）する。
【００３８】
心筋繊維は、心内膜側から心外膜側に向かって、内斜走筋、輪状筋、外斜走筋の３層筋で構成されることが知られている。そして、心筋繊維の収縮弛緩は、長軸方向（心基部から心尖部に向かう方向）、重心方向（長軸に垂直な短軸断面上で心外膜と垂直になる方向）および円周方向（長軸に垂直な短軸断面上で重心方向に垂直な方向）の３つの成分から形成されている。
【００３９】
一般に、心筋障害は、心内膜側から出現することが多い。これは、内膜面の心筋繊維は、心筋酸素消費量が多いこと、心外膜を走る冠動脈から最も遠く、虚血にさらされやすいことなどによる。内膜面の心筋繊維は、心臓の長軸方向に延びているため、梗塞が発生すると、長軸方向の壁運動に最も敏感に影響が現れる。したがって、壁運動計算部１２は、カテーテルの先端部の、心臓の長軸方向の動きに基づき、カテーテルが接触する心壁の壁運動を計算する。
【００４０】
図３は、壁運動計算部１２による心壁の壁運動の計算について説明するための図である。
【００４１】
壁運動計算部１２は、心臓の拡張期および収縮期のＸ線透視画像から、ゼロ点を基準として、ゼロ点からカテーテルの先端部までの距離を計算する。なお、ゼロ点としては、心尖部、大動脈弁、僧帽弁あるいはこれらの近位点を用いることができる。また、ゼロ点からカテーテルの先端部までの距離としては、ゼロ点から、例えば先端など、カテーテルの先端部における所定箇所までの距離とすることができる。本実施形態では、ゼロ点からカテーテルの先端までの距離を計算している。図３に示すように、ゼロ点からカテーテルの先端までの距離が、心臓の拡張期ではｘであり、心臓の収縮期ではｘ−ｄｘであったとする。すなわち、心臓の拡張期と収縮期とで、ゼロ点からカテーテルの先端までの距離が、ｄｘだけ変化したとする。
【００４２】
壁運動計算部１２は、心壁の壁運動として、歪みの程度を示すストレインε、歪みの速度を示すストレインレートＳなどを計算する。具体的には、壁運動計算部１２は、ストレインεを以下の式（１）に従い計算する。また、壁運動計算部１２は、ストレインレートＳを以下の式（２）に従い計算する。
ε＝ｄｘ／ｘ  ・・・（１）
Ｓ＝ｄε／ｄｔ＝ｄ（ｄｘ／ｘ）／ｄｔ＝（ｄｘ／ｄｔ）／ｘ＝ｄｖ／ｘ  ・・・（２）
【００４３】
図１を再び参照すると、壁運動計算部１２は、心壁の壁運動（ストレインε、ストレインレートＳなど）の計算結果を冬眠心筋同定部１４に出力する。また、壁運動計算部１２は、心壁の壁運動の計算結果を画像処理部１５に出力してもよい。
【００４４】
梗塞部位同定部１３は、被検者の心臓の心壁における梗塞部位を同定する。梗塞部位は、例えば、心臓の心壁の心電位を示す心電位情報に基づき同定することができる。一般に、梗塞部位では、心電位は７．０ｍＶ未満であり、正常部位および冬眠心筋では、心電位が７．０ｍＶ以上であることが知られている。したがって、心電位が所定の閾値未満（例えば、７．０ｍＶ未満）である部位は、梗塞部位であると同定することができる。
【００４５】
心電位情報の取得の方法としては、種々の方法がある。例えば、心電位情報を取得する方法としては、カテーテルの先端部に電極を設け、カテーテルの先端部の電極を心臓の心壁に接触させることで、心電位情報を取得する方法がある。また、別の方法として、超音波診断装置、Ｘ線ＣＴ装置、ＭＲＩ装置などの所定の撮像装置により心臓を撮像した撮像画像を用いる方法がある。この方法では、心筋の電気的な興奮と心筋の収縮とは連関することを活用し、所定の撮像装置（上述した各種撮像装置）により心臓を撮像した撮像画像に基づき、心電位情報を取得する。具体的には、撮像画像で観察される壁運動による収縮伝播のパターンから、心電位情報を取得することができる。
【００４６】
また、梗塞部位同定部１３は、心臓に造影剤を投与した後に、超音波診断装置、Ｘ線ＣＴ装置、ＭＲＩ装置などの所定の撮像装置による心臓の撮像により得られた遅延造影相を用いて梗塞部位を同定することができる。造影剤の投与早期には、造影剤は、心筋血管床に分布し、その後、間質に漏出し、細胞外スペースを満たす。早期造影不良は、血管床の減少を反映し、遅延造影は、細胞外スペースの拡大と造影剤の間質蓄積（造影剤のwash out遅延）とを反映すると考えられている。造影剤は正常な心筋細胞膜を通過しないが、急性心筋梗塞などで細胞膜が破綻すると、造影剤は受動的に細胞内スペースに拡散する。このため、急性心筋梗塞および心筋炎では、心筋細胞膜の破綻および浮腫による間質増大のために、また、陳旧性心筋梗塞および心筋症では、線維化による間質増大のために、遅延造影が出現するとされている。したがって、梗塞部位は、遅延造影相により造影される部位として同定し、正常部位および冬眠心筋は、遅延造影相により造影されない部位として同定することができる。
【００４７】
梗塞部位同定部１３は、梗塞部位の同定結果（同定した梗塞部位の位置）を冬眠心筋同定部１４に出力する。
【００４８】
冬眠心筋同定部１４は、壁運動計算部１２から出力された心壁の壁運動の計算結果と、梗塞部位同定部１３により同定された梗塞部位の位置とに基づき、冬眠心筋を同定する。梗塞部位および慢性虚血により運動量が低下した冬眠心筋などの異常部位では、壁運動が低下する。ここで、梗塞部位の壁運動の低下は不可逆的である。一方、冬眠心筋での壁運動の低下は可逆的である。冬眠心筋同定部１４は、壁運動が所定の閾値以下の部位のうち、梗塞部位同定部１３により同定された遅延造影相により造影されない部位もしくは遅延造影相により造影される部位を除いた部位を冬眠心筋として同定する。あるいは、冬眠心筋同定部１４は、壁運動が所定の閾値以下の部位のうち、心電位が所定の閾値以上である部位もしくは心電位が所定の閾値未満である部位を除いた部位を、冬眠心筋として同定する。
【００４９】
冬眠心筋同定部１４は、同定した冬眠心筋の位置を示す冬眠心筋位置情報を画像処理部１５に出力する。
【００５０】
画像処理部１５は、壁運動の計算結果、冬眠心筋の同定結果などの表示装置２０への表示および記録を行う。例えば、画像処理部１５は、壁運動計算部１２により計算された心壁の壁運動を、心臓のＸ線透視画像に重畳して表示装置２０に表示してもよい。また、画像処理部１５は、冬眠心筋同定部１４により同定された冬眠心筋を、心臓のＸ線透視画像に重畳して表示装置２０に表示してもよい。
【００５１】
また、画像処理部１５は、例えば、心電位情報が取得されている場合には、図４Ａに示すように、カテーテルの先端部が接触する心壁の心電位および壁運動を、心臓のＸ線透視画像に重畳して表示装置２０に表示してもよい。また、画像処理部１５は、例えば、図４Ｂに示すように、カテーテルの先端部が接触する心壁の心電位および壁運動がそれぞれ、例えば、冬眠心筋と同定するための所定の条件を満たしているかを示す記号（例えば、「丸印」および「バツ印」）を、心臓のＸ線透視画像に重畳して表示装置２０に表示してもよい。また、画像処理部１５は、カテーテルの先端部の造影マーカ、形状などから、カテーテルの先端部が手前側の心壁に接触しているのか、奥側の心壁に接触しているのかを判別できる場合には、カテーテルが接触する心壁が、手前側の心壁であるのか、奥側の心壁であるのかを示す情報を、心臓のＸ線透視画像に重畳して表示装置２０に表示してもよい。
【００５２】
また、画像処理部１５は、心壁の心電位が所定の閾値以上であるか、また、心壁の壁運動が所定の閾値以上であるかに応じて、異なるパターンの映像を表示装置２０に表示させてもよい。例えば、画像処理部１５は、心電位情報が取得されている場合には、心壁の心電位が所定の閾値上であるか、また、心壁の壁運動が所定の閾値以上であるかに応じて、図５に示すように、横一列に並んだ３つの円部からなる映像の状態を変化させて表示装置２０に表示させてもよい。この例では、画像処理部１５は、例えば、心壁の電位および壁運動が所定の閾値以上である場合（正常部位である場合）には、右側の円部が点灯したような状態とする。また、画像処理部１５は、心壁の心電位が所定の閾値以上であり、壁運動が所定の閾値未満である場合（冬眠心筋である場合）には、左側の円部が点灯したような状態とする。また、画像処理部１５は、心壁の電位および壁運動が所定の閾値未満である場合（梗塞部位である場合）には、真ん中の円部が点灯したような状態とする。また、画像処理部１５は、心壁の心電位が所定の閾値未満であり、壁運動が所定の閾値上である場合（通常は想定されない）、および、心壁の電位および壁運動の値が得られない場合（カテーテルの先端部が心壁に接触していない場合）には、いずれの円部も消灯したような状態とする。
【００５３】
また、画像処理部１５は、壁運動計算部１２により計算された心壁の壁運動を、心臓の三次元構造データから得られた房室の二次元画像であるフォーマット図にマッピングして記録してもよい。例えば、画像処理部１５は、三次元構造データに示される心臓を所定方向から見た場合の、心臓の房室の輪郭を抽出した二次元画像を、フォーマット図として生成する。また、画像処理部１５は、冬眠心筋同定部１４により同定された冬眠心筋を、図６に示すように、フォーマット図にマッピングして記録してもよい。また、画像処理部１５は、図６に示すように、カテーテルを介して注入材を注入した部位、注入材の注入に適した部位、および、注入材の注入に適さない部位の少なくともいずれかの部位を示す情報を取得し、取得した情報に示される部位を、フォーマット図にマッピングして記録してもよい。図６においては、カテーテルを介して注入材を注入した部位、および、注入材の注入に適さない部位をマッピングした例を示している。カテーテルを介して注入材を注入した部位を示す情報は、例えば、術者により判断され、画像処理装置１０に入力される。また、カテーテルを介して注入材を注入した部位を示す情報は、画像処理部１５が術中のＸ線透視画像を解析することで取得されてもよい。また、注入材の注入に適した部位、および、注入材の注入に適さない部位を示す情報は、例えば、予め得られた三次元構造データなどに基づき、例えば、術者により特定され、画像処理装置１０に入力される。
【００５４】
なお、三次元構造データは、超音波診断装置、Ｘ線ＣＴ装置、ＭＲＩ装置、ＳＰＥＣＴ装置、ＰＥＴ装置などの撮像装置を用いて、予め取得することができる。これらの撮像装置により取得した三次元構造データを用いることで、より正確なフォーマット図を作成することができる。
【００５５】
上述したように、カテーテルの先端部に設けられた造影マーカなどにより、カテーテルの先端部が、手前側の心壁に接触しているか、奥側の心壁に接触しているかを判別することができる。また、術者は、手技中に、カテーテルの先端部が、手前側の心壁に接触しているか、奥側の心壁に接触しているかを判別することができる。したがって、画像処理部１５は、壁運動を計算した心壁、カテーテルを介して注入材を注入した部位、および、注入材の注入に適さない部位が、手前側の心壁であるのか、奥側の心壁であるのかを示す情報、すなわち、奥行き方向の情報もフォーマット図に含めて記録することができる。また、画像処理部１５は、奥行き方向の情報を含むフォーマット図を用いて、心臓の房室を三次元表示した三次元画像、ブルズアイ画像などを生成し、表示装置２０に表示するなどしてもよい。
【００５６】
次に、本実施形態に係る画像処理装置１０が実行する画像処理方法について、図７を参照して説明する。図７は、画像処理装置１０の動作の一例を示すフローチャートである。
【００５７】
まず、先端位置情報取得部１１は、カテーテルが挿入され、カテーテルの先端部が心壁に当接した心臓の房室を所定の方向から撮像したＸ線透視画像におけるカテーテルの先端部の位置を示す先端位置情報を取得する（ステップＳ１１）。上述したように、先端位置情報取得部１１は、術者などからの入力を受け付けることで先端位置情報を取得してもよいし、Ｘ線透視画像を解析することで先端位置情報を取得してもよい。
【００５８】
次に、壁運動計算部１２は、先端位置情報取得部１１により取得された先端位置情報に示されるカテーテルの先端部の、心臓の長軸方向の動きに基づき、カテーテルの先端部が当接する心壁の壁運動を計算する（ステップＳ１２）。
【００５９】
次に、梗塞部位同定部１３は、心臓の心壁における梗塞部位を同定する（ステップＳ１３）。梗塞部位同定部１３は、例えば、心電位情報に基づき、梗塞部位を同定する。また、梗塞部位同定部１３は、例えば、心臓に造影剤を投与した後に所定の撮像装置による撮像により得られた遅延造影相に基づき、梗塞部位を同定する。心電位情報は、例えば、先端部に電極が設けられたカテーテルを用いて取得することができる。また、心電位情報は、例えば、所定の撮像装置により心臓を撮像した撮像画像に基づき取得することができる。
【００６０】
次に、冬眠心筋同定部１４は、壁運動計算部１２により計算された心壁の壁運動と、梗塞部位同定部１３により同定された梗塞部位の位置とに基づき、冬眠心筋を同定する（ステップＳ１４）。
【００６１】
なお、図７においては、壁運動を計算して、冬眠心筋を同定する例を用いて説明したが、壁運動は、冬眠心筋の同定だけでなく、種々の検査、治療などにおいて必要となる。従って、画像処理装置１０は、壁運動を計算する機能だけを備え、冬眠心筋を同定する機能は備えていなくてもよい。この場合、梗塞部位同定部１３および冬眠心筋同定部１４は、必須の構成ではない。また、画像処理装置１０は、冬眠心筋を同定する必要が無い場合には、図７に示すステップＳ１１およびステップＳ１２の処理を行い、心壁の壁運動を計算する。
【００６２】
次に、カテーテルの先端部が、手前側の心壁に接触しているか、奥側の心壁に接触しているかをＸ線透視画像から判別するために、カテーテルの先端部に設けられる造影マーカの構成について説明する。
【００６３】
図８は、上述した、先端部が、手前側の心壁に接触しているのか、奥側の心壁に接触しているのかを判別することができるカテーテル２の先端部２ａ近傍を示す図である。図８に示すように、カテーテル２の造影マーカ３は、カテーテル２の中心軸線Ｏを含み、中心軸線Ｏと平行する任意の仮想面に対して、非対称な形状を有する。具体的に、図８では、カテーテル２の中心軸線Ｏを含み、中心軸線Ｏと平行する仮想面の例示として、２つの仮想面Ｙ１およびＹ２を示している。図８に示すように、造影マーカ３は、仮想面Ｙ１およびＹ２それぞれに対して、非対称な形状である。換言すれば、造影マーカ３は、カテーテル２の中心軸線Ｏを含み、中心軸線Ｏと平行する全ての仮想面に対して、面対称とならない形状を有している。以下、説明の便宜上、カテーテル２の中心軸線Ｏを含み、中心軸線Ｏと平行する任意の仮想面を単に「仮想面Ｙ」と記載する。
【００６４】
造影マーカ３をこのような構成とすることで、Ｘ線透視画像での造影マーカ３の見え方により、Ｘ線透視画像において投影面と直交する奥手前方向（以下、単に「奥手前方向Ａ」と記載する。）のカテーテル２の動きを識別することができる。
【００６５】
図８に示すように、本実施形態の造影マーカ３は、第１造影マーカ部４と、第２造影マーカ部５と、を備えている。第１造影マーカ部４は、仮想面Ｙのうち、周方向Ｂにおける第２造影マーカ部５の中間位置を通過する第１中間仮想面に対して非対称な形状を有する。また、第２造影マーカ部５は、仮想面Ｙのうち、周方向Ｂにおける第１造影マーカ部４の中間位置を通過する第２中間仮想面に対して非対称な形状を有する。本実施形態における「第１中間仮想面」は、図８に示す仮想面Ｙ１である。また、本実施形態における「第２中間仮想面」は、図８に示す仮想面Ｙ２である。
【００６６】
本実施形態の第１造影マーカ部４は、カテーテル２の周方向Ｂの少なくとも一部の領域に亘って形成されている。より具体的に、本実施形態の第１造影マーカ部４は、周方向Ｂに線状に延在している。また、本実施形態の第１造影マーカ部４は、カテーテル２の先端部２ａに設けられている。より具体的に、本実施形態の第１造影マーカ部４は、カテーテル２の先端面において、周方向Ｂに線状に形成されている。
【００６７】
本実施形態の第２造影マーカ部５は、中心軸線Ｏと平行な中心軸線方向Ｃに沿って線状に延在している。
【００６８】
以下、図８に示す造影マーカ３の見え方により、奥手前方向Ａでのカテーテル２の動きを識別する識別方法について説明する。図９Ａ〜図９Ｆは、図８に示す白抜き矢印Ｐ１の方向に向かってカテーテル２の先端部２ａを見た場合（以下、単に「矢印Ｐ１の視点で見た場合」と記載する。）についての造影マーカ３の見え方を示す図である。
【００６９】
図９Ａは、矢印Ｐ１の視点で見た場合に、カテーテル２の先端部２ａが奥手前方向Ａに変形していない状態、すなわち、カテーテル２の先端部２ａが矢印Ｐ１の方向と直交する方向に延在している状態、を示している。図９Ａに示す状態のカテーテル２の先端部２ａは、矢印Ｐ１の視点で見た場合に、図９Ｂの状態に見える。図９Ｂに示すように、矢印Ｐ１の視点で見た場合には、造影マーカ３の第１造影マーカ部４は、中心軸線方向Ｃと直交する径方向Ｄに沿って直線状に延在する形状に見える。また、図９Ｂに示すように、矢印Ｐ１の視点で見た場合には、造影マーカ３の第２造影マーカ部５は、中心軸線方向Ｃに沿って直線状に延在する形状に見える。
【００７０】
図９Ｃは、矢印Ｐ１の視点で見た場合に、カテーテル２の先端部２ａが、図９Ａに示す状態と比較して、奥手前方向Ａの手前方向Ａ２（図９Ｃでは下方向であり、矢印Ｐ１の視点で見た場合に視点に接近する方向）に変形した状態を示している。図９Ｃに示す状態のカテーテル２の先端部２ａは、矢印Ｐ１の視点で見た場合に、図９Ｄの状態に見える。図９Ｄに示すように、矢印Ｐ１の視点で見た場合には、造影マーカ３の第１造影マーカ部４は、中心軸線方向Ｃの基端側に凸形となる円弧形状に見える。図９Ｄに示すように、矢印Ｐ１の視点で見た場合には、造影マーカ３の第２造影マーカ部５は、中心軸線方向Ｃに沿って直線状に延在する形状に見える。図９Ｄにおいて中心軸線方向Ｃと直交する径方向Ｄにおける第２造影マーカ部５の位置は、図９Ｂの径方向Ｄにおける第２造影マーカ部５の位置と同じである。このように、図９Ｄにおける第１造影マーカ部４の形状は、図９Ｂにおける第１造影マーカ部４の形状と異なる。その一方で、図９Ｄにおける第２造影マーカ部５の位置および形状は、図９Ｂにおける第２造影マーカ部５の位置および形状と同じに見える。
【００７１】
図９Ｅは、矢印Ｐ１の視点で見た場合に、カテーテル２の先端部２ａが、図９Ａに示す状態と比較して、奥手前方向Ａの奥行き方向Ａ１（図９Ｅでは上方向であり、矢印Ｐ１の視点で見た場合に視点から遠ざかる方向）に変形した状態を示している。図９Ｅに示す状態のカテーテル２の先端部２ａは、矢印Ｐ１の視点で見た場合に、図９Ｆの状態に見える。図９Ｆに示すように、矢印Ｐ１の視点で見た場合には、造影マーカ３の第１造影マーカ部４は、中心軸線方向Ｃの先端側に凸形となる円弧形状に見える。図９Ｆに示すように、矢印Ｐ１の視点で見た場合には、造影マーカ３の第２造影マーカ部５は、中心軸線方向Ｃに沿って直線状に延在する形状に見える。図９Ｆにおいて中心軸線方向Ｃと直交する径方向Ｄにおける第２造影マーカ部５の位置は、図９Ｂおよび図９Ｄの径方向Ｄにおける第２造影マーカ部５の位置と同じである。つまり、図９Ｆにおける第１造影マーカ部４の形状は、図９Ｂおよび図９Ｄにおける第１造影マーカ部４の形状と異なる。その一方で、図９Ｆにおける第２造影マーカ部５の位置および形状は、図９Ｂおよび図９Ｄにおける第２造影マーカ部５の位置および形状と同じである。
【００７２】
したがって、図８に示す矢印Ｐ１の方向からＸ線を透視することで取得されるＸ線透画像では、第１造影マーカ部４の形状の変化を見ることにより、カテーテル２の先端部２ａの奥手前方向Ａにおける動きを識別することができる。より具体的に、本実施形態では、第１造影マーカ部４の形状が中心軸線方向Ｃの基端側に凸形となる円弧状に見える場合には、奥手前方向Ａの手前方向Ａ２に動いていること、または、動いたこと、を識別することができる（図９Ｃ、図９Ｄ参照）。また、本実施形態では、第１造影マーカ部４の形状が中心軸線方向Ｃの先端側に凸形となる円弧状に見える場合には、奥手前方向Ａの奥行き方向Ａ１に動いていること、又は、動いたこと、を識別することができる（図９Ｅ、図９Ｆ参照）。
【００７３】
図８に示す白抜き矢印Ｐ２の方向に向かってカテーテル２の先端部２ａを見た場合、図８に示す白抜き矢印Ｐ３の方向に向かってカテーテル２の先端部２ａを見た場合、および、図８に示す白抜き矢印Ｐ４の方向に向かってカテーテル２の先端部２ａを見た場合にも同様に、各方向（矢印Ｐ２〜Ｐ４の方向）からＸ線を透視することで取得されるＸ線透画像では、第１造影マーカ部４の形状の変化、並びに、第１造影マーカ部４及び第２造影マーカ部５の位置関係、を見ることにより、カテーテル２の先端部２ａの奥手前方向Ａにおける動きを識別することができる。
【００７４】
このように本実施形態によれば、画像処理装置１０は、カテーテル２が挿入され、該カテーテル２の先端部２ａが心壁に接触した心臓の房室を所定の方向から撮像したＸ線透視画像におけるカテーテル２の先端部２ａの位置を示す先端位置情報を取得する先端位置情報取得部１１と、先端位置情報取得部１１により取得された先端位置情報に示されるカテーテル２の先端部２ａの、心臓の長軸方向の動きに基づき、カテーテル２の先端部２ａが接触する心壁の壁運動を計算する壁運動計算部１２と、を備える。
【００７５】
Ｘ線透視画像において、心臓の房室に挿入されたカテーテル２の先端部２ａの位置を特定し、そのカテーテル２の先端部２ａの、心臓の長軸方向の動きに基づき、心壁の壁運動を計算する（検出する）ことができる。そのため、Ｘ線透視装置以外の他の撮像装置などを用いずに、より簡易に心壁の壁運動を検出することができる。
【００７６】
また、本実施形態によれば、画像処理装置１０は、心臓の心壁における梗塞部位を同定する梗塞部位同定部１３と、壁運動計算部１２により計算された心壁の壁運動と、梗塞部位同定部１３により同定された梗塞部位の位置とに基づき、冬眠心筋を同定する冬眠心筋同定部１４とをさらに備える。
【００７７】
Ｘ線透視画像において、心臓の房室に挿入されたカテーテル２の先端部２ａの位置を特定し、そのカテーテル２の先端部２ａの、心臓の長軸方向の動きに基づき、心壁の壁運動を計算する（検出する）ことができる。そのため、Ｘ線透視装置以外の他の撮像装置などを用いずに、より簡易に心壁の壁運動を検出して、冬眠心筋を同定することができる。
【００７８】
なお、実施形態では特に触れていないが、画像処理装置１０は、コンピュータとプログラムとによっても実現することができる。また、当該プログラムは、コンピュータ読取り可能媒体に記録されてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭおよびＤＶＤ−ＲＯＭなどの記録媒体であってもよい。また、当該プログラムは、ネットワークを介して提供することも可能である。
【００７９】
本発明は、上述した実施形態で特定された構成に限定されず、特許請求の範囲に記載した発明の要旨を逸脱しない範囲内で種々の変形が可能である。例えば、各構成部、各ステップなどに含まれる機能などは論理的に矛盾しないように再構成可能であり、複数の構成部またはステップなどを１つに組み合わせたり、あるいは分割したりすることが可能である。
【符号の説明】
【００８０】
２    カテーテル
２ａ    カテーテルの先端部
３    造影マーカ
４    第１造影マーカ部
５    第２造影マーカ部
１０    画像処理装置
１１    先端位置情報取得部
１２    壁運動計算部
１３    梗塞部位同定部
１４    冬眠心筋同定部
１５    画像処理部
２０    表示装置
【図１】
2019176532.tif 000003
【図２】
2019176532.tif 000004
【図３】
2019176532.tif 000005
【図４Ａ】
2019176532.tif 000006
【図４Ｂ】
2019176532.tif 000007
【図５】
2019176532.tif 000008
【図６】
2019176532.tif 000009
【図７】
2019176532.tif 000010
【図８】
2019176532.tif 000011
【図９Ａ】
2019176532.tif 000012
【図９Ｂ】
2019176532.tif 000013
【図９Ｃ】
2019176532.tif 000014
【図９Ｄ】
2019176532.tif 000015
【図９Ｅ】
2019176532.tif 000016
【図９Ｆ】
2019176532.tif 000017
【国際調査報告】
2019176532.tif 000018
2019176532.tif 000019
2019176532.tif 000020
2019176532.tif 000021